(57)【要約】【課題】自動的に建築物の外壁を洗浄するための壁用の洗浄装置を提供する。【解決手段】本発明に係る壁用の洗浄装置は、壁板に平行に配置されると共に、アルミ押出材からなる少なくとも２本の軸方向レールと、前記軸方向レールの形状と対応するように形成され、該軸方向レールの各々に摺動可能に設置されると共に、主駆動部材を備え、該主駆動部材により該軸方向レールに沿って摺動する少なくとも２つの摺動台と、前記摺動台の各々に設置されるブラシ駆動部材と、それぞれ、前記軸方向レールと直交するように、隣り合う２つの前記摺動台のブラシ駆動部材の間に取り付けられると共に、外周面に壁板と接触可能な毛材を備え、前記ブラシ駆動部材により稼動するブラシ部材とを有するので、自動的に壁板を洗浄することができる。【選択図】図１
2013523354.tif 000002
【特許請求の範囲】
【請求項１】
壁板に平行に配置されると共に、アルミ押出材からなる少なくとも２本の軸方向レールと、
前記軸方向レールの形状と対応するように形成され、該軸方向レールの各々に摺動可能に設置されると共に、主駆動部材を備え、該主駆動部材により該軸方向レールに沿って摺動する少なくとも２つの摺動台と、
前記摺動台の各々に設置されるブラシ駆動部材と、
それぞれが、隣り合う２つの前記摺動台のブラシ駆動部材の間に前記軸方向レールと直交するように取り付けられると共に、外周面に壁板と接触可能な毛材を備え、前記ブラシ駆動部材により稼動するブラシ部材と、を有することを特徴とする壁用の洗浄装置。
【請求項２】
前記摺動台の各々は、ローラー装着台を備え、
前記ブラシ駆動部材は、回転可能な駆動部材であり、摺動台のローラー装着台に組み込まれ、回転可能な回転軸が軸方向レールと直交するように設けられ、
前記ブラシ部材は、隣り合う２つのブラシ駆動部材の間に取り付けられることを特徴とする請求項１に記載の壁用の洗浄装置。
【請求項３】
前記ブラシ部材の各々の外側にカバーが設置されることを特徴とする請求項２に記載の壁用の洗浄装置。
【請求項４】
前記ブラシ駆動部材は、上下移動可能な駆動部材であり、摺動台に取り付けられ、移動軸が軸方向レールと直交するように設置され、
前記ブラシ部材は、隣り合う２つのブラシ駆動部材の間に取り付けられることを特徴とする請求項１に記載の壁用の洗浄装置。
【請求項５】
前記ブラシ駆動部材に長手方向に沿って軸孔が形成され、
前記ブラシ部材に長手方向に沿って軸孔が形成され、
そのブラシ駆動部材の軸孔及びブラシ部材の軸孔に細長柱が挿設され、該細長柱を介して、隣り合う２つのブラシ駆動部材の間にブラシ部材を取り付け可能となると共に、ブラシ駆動部材によりブラシ部材を上下方向に沿って往復移動可能となることを特徴とする請求項４に記載の壁用の洗浄装置。
【請求項６】
前記ブラシ駆動部材に伸縮部材の一端が結合され、摺動台に該伸縮部材の他端がルーズリーフ形式に枢設され、
該伸縮部材は、摺動台及び壁板に対して伸縮移動可能であり、ブラシ部材を壁板に接触可能とすることを特徴とする請求項４または５に記載の壁用の洗浄装置。
【請求項７】
前記ブラシ部材の外側にカバーが設置され、該カバーに送風管が構成され、該送風管における壁板に向かう側に間隔板が設けられ、該間隔板に送風孔が形成されることを特徴とする請求項６に記載の壁用の洗浄装置。
【請求項８】
前記軸方向レールに固定溝が形成され、該固定溝に凸字型ナットが取り付けられ、該凸字型ナットにより軸方向レールを壁板に固定することを特徴とする請求項１乃至７の何れか１項に記載の壁用の洗浄装置。
【請求項９】
前記軸方向レールに長手方向に沿って複数の摺動溝が形成され、前記摺動台における軸方向レールの摺動溝と対応する箇所にそれぞれ摺動輪が取り付けられることを特徴とする請求項８に記載の壁用の洗浄装置。
【請求項１０】
前記軸方向レールに電力を入力するための軸方向電気接続レールが設置され、前記摺動台における軸方向電気接続レールと対応する箇所に電気接続ユニットが設置されることを特徴とする請求項９に記載の壁用の洗浄装置。
【請求項１１】
前記軸方向レールに注水通路及び磁石収容溝が隣接するように同一方向に向かって形成され、
前記軸方向レールにおける壁板に面する注水通路と隣接する一側に、複数の磁気弁が所定の距離を隔てて設置され、
前記磁石収容溝には、摺動台と同期して摺動する、磁気弁を制御するための軸方向磁石が設置されることを特徴とする請求項１０に記載の壁用の洗浄装置。
【請求項１２】
前記磁気弁は、管状部と、磁石と、バネと、ワッシャーと、磁吸着ワッシャーとを備え、
前記管状部は、一端が封止し、他端が開口し、内部に内径部が設けられ、該内径部の内周面に複数の注水溝が管状部の軸方向に沿って形成され、該管状部の外周面における該注水溝の各々と対応する箇所に注水孔が形成され、
前記バネが磁石に環設されると共に、該磁石及びバネが管状部の内径部に挿設され、
前記ワッシャー及び磁吸着ワッシャーが内径部の開口位置に内側から外部へ順番に位置し、
前記ワッシャーの中心に通水孔が形成され、
前記磁吸着ワッシャーの中心に貫通孔が形成され、且つ、
前記バネが磁石をワッシャーに向かって押圧することにより通水孔を封止することを特徴とする請求項１１に記載の壁用の洗浄装置。
【請求項１３】
前記軸方向レールに長手方向に沿って軸方向ラックが設置され、
前記摺動台に主駆動部材が設置され、該主駆動部材に歯車が取り付けられ、該歯車が前記軸方向ラックと噛合されることを特徴とする請求項１２に記載の壁用の洗浄装置。
【請求項１４】
前記軸方向レールの各々の両端位置にそれぞれ、該軸方向レールの長手方向と直交する回転可能な回転軸が設置され、該回転軸の各々の軸方向レールの端部と対応する箇所にリングが取り付けられ、該リングに引き寄せ部材の一端が固定され、該引き寄せ部材の他端が摺動台に固定され、
さらに、前記回転軸にサブ駆動部材が設置され、該サブ駆動部材により回転軸を回転させることを特徴とする請求項１３に記載の壁用の洗浄装置。
【発明の詳細な説明】
【技術分野】
【０００１】
本発明は、自動的に建築物の外壁を洗浄するための壁用の洗浄装置に関するものである。
【背景技術】
【０００２】
建築物の外壁の清潔性は、その建築物の外観に対するイメージに影響を与え、また町全体の外観にも影響を及ぼす。特に建築物がカーテンウォ−ルを用いたビルの場合には、内部からカーテンウォ−ルを通して外部の風景を見るため、その外壁の清潔さがとても大事である。また、建築物の外壁にソーラーパネルを装着した場合にも、その外壁の清潔さが重要である。ソーラーパネルが汚れていると、ソーラーパネルの電力変換効率が落ちてしまう。
【０００３】
従来の建築物の外壁またはガラス窓を洗浄する方法としては、先ず建築物の屋根に作業用のかごを起重機で昇降可能に吊り下げ、作業員がこのかごに乗りながら外壁を洗浄する方法が広く知られている。
また、従来の外壁にソーラーパネルを用いた建築物では、自動的に洗浄し得る洗浄工法が未だ提案されておらず、人力作業で洗浄することが多い。
【発明の概要】
【発明が解決しようとする課題】
【０００４】
しかしながら、従来は建築物の外壁を洗浄するにあたり、自動的に洗浄し得る好適な方法がないために、人力作業で洗浄することが多いことから、洗浄に要する人件費が高くつくだけではなく、作業員の安全性確保にも問題があった。
本発明においては、これらの問題を解決するための洗浄装置の開発が必要である。
【課題を解決するための手段】
【０００５】
本発明に係る壁用の洗浄装置は、壁板に平行に配置されると共に、アルミ押出材からなる少なくとも２本の軸方向レールと、前記軸方向レールの形状と対応するように形成され、該軸方向レールの各々に摺動可能に設置されると共に、主駆動部材を備え、該主駆動部材により該軸方向レールに沿って摺動する少なくとも２つの摺動台と、前記摺動台の各々に設置されるブラシ駆動部材と、それぞれ、前記軸方向レールと直交するように、隣り合う２つの前記摺動台のブラシ駆動部材の間に取り付けられると共に、外周面に壁板と接触可能な毛材を備え、前記ブラシ駆動部材により稼動するブラシ部材と、を有するものである。
【０００６】
また、かかる壁用の洗浄装置において、前記摺動台の各々にローラー装着台を備え、前記ブラシ駆動部材は、回転可能な駆動部材であり、摺動台のローラー装着台に組み立てられ、軸方向レールと直交するように回転可能な回転軸が設けられ、前記ブラシ部材が隣り合う２つのブラシ駆動部材の間に取り付けられることが好ましい。
【０００７】
また、かかる壁用の洗浄装置において、前記ブラシ部材の各々の外側にカバーが設置されることが好ましい。
【０００８】
また、かかる壁用の洗浄装置において、前記ブラシ駆動部材は、上下移動可能な駆動部材であり、摺動台に取り付けられ、軸方向レールと直交するように移動軸が設置され、前記ブラシ部材が隣り合う２つのブラシ駆動部材の間に取り付けられることが好ましい。
【０００９】
また、かかる壁用の洗浄装置において、前記ブラシ駆動部材に長手方向に沿って軸孔が形成され、前記ブラシ部材に長手方向に沿って軸孔が形成され、そのブラシ駆動部材の軸孔及びブラシ部材の軸孔に細長柱が挿設され、該細長柱を介して隣り合う２つのブラシ駆動部材の間にブラシ部材を取り付けることができると共に、ブラシ駆動部材によりブラシ部材を上下方向に沿って往復移動させることができることが好ましい。
【００１０】
また、かかる壁用の洗浄装置において、前記ブラシ駆動部材に伸縮部材の一端が結合され、該伸縮部材の他端がルーズリーフのように摺動台に枢設され、該伸縮部材は、摺動台及び壁板に対して伸縮移動可能であり、ブラシ部材を壁板に接触させることが好ましい。
【００１１】
また、かかる壁用の洗浄装置において、前記ブラシ部材の外側にカバーが設置され、該カバーに送風管が構成され、該送風管における壁板に向かう側に間隔板が設けられ、該間隔板に送風孔が形成されることが好ましい。
【００１２】
また、かかる壁用の洗浄装置において、前記軸方向レールに固定溝が形成され、該固定溝に凸字型ナットが取り付けられ、該凸字型ナットにより軸方向レールを壁板に固定することが好ましい。
【００１３】
また、かかる壁用の洗浄装置において、前記軸方向レールに長手方向に沿って複数の摺動溝が形成され、前記摺動台における軸方向レールの摺動溝と対応する箇所にそれぞれ摺動輪が取り付けられることが好ましい。
【００１４】
また、かかる壁用の洗浄装置において、前記軸方向レールに電力を入力するための軸方向電気接続レールが設置され、前記摺動台における軸方向電気接続レールと対応する箇所に電気接続ユニットが設置されることが好ましい。
【００１５】
また、かかる壁用の洗浄装置において、前記軸方向レールに注水通路及び磁石収容溝が隣接するように同一方向に向かって形成され、前記軸方向レールにおける壁板に面する注水通路と隣接する一側に複数の磁気弁が設置され、それら磁気弁の間に所定の距離が形成され、前記磁石収容溝に磁気弁を制御するために、摺動台と同期摺動する軸方向磁石が設置されることが好ましい。
【００１６】
また、かかる壁用の洗浄装置において、前記磁気弁は、管状部と、磁石と、バネと、ワッシャーと、磁吸着ワッシャーとを備え、その内、前記管状部は、一端が封止し、他端が開口し、内部に内径部が設けられ、該内径部の内周面に複数の注水溝が管状部の軸方向に沿って形成され、該管状部の外周面における該注水溝の各々と対応する箇所に注水孔が形成され、前記バネが磁石に環設されると共に、該磁石及びバネが管状部の内径部に挿設され、前記ワッシャー及び磁吸着ワッシャーが内径部の開口位置に内側から外部へ順番に位置し、前記ワッシャーの中心に通水孔が形成され、前記磁吸着ワッシャーの中心に貫通孔が形成され、且つ、前記バネが磁石をワッシャーに向かって押圧することにより通水孔を封止することが好ましい。
【００１７】
また、かかる壁用の洗浄装置において、前記軸方向レールに長手方向に沿って軸方向ラックが設置され、前記摺動台に主駆動部材が設置され、該主駆動部材に歯車が取り付けられ、該歯車が前記軸方向ラックと噛合されることが好ましい。
【００１８】
また、かかる壁用の洗浄装置において、前記軸方向レールの各々の両端位置にそれぞれ、該軸方向レールの長手方向と直交する回転可能な回転軸が設置され、該回転軸の各々の軸方向レールの端部と対応する箇所にリングが取り付けられ、該リングに引き寄せ部材の一端が固定され、該引き寄せ部材の他端が摺動台に固定され、さらに、前記回転軸にサブ駆動部材が設置され、該サブ駆動部材により回転軸を回転させることが好ましい。
【発明の効果】
【００１９】
本発明に係る壁用の洗浄装置は上記の構造壁板上の軸方向レールに摺動台が摺動可能に設置されると共に、摺動台にブラシ駆動部材及びブラシ部材が設置されるという構造を有し、回転可能、または上下移動可能なそのブラシ駆動部材によりブラシ部材が回転、または上下に往復稼動することにより、自動的に壁板を洗浄することができる。
したがって、人力作業が不用で作業の安全性を上昇すると共に、使用上の利便性も向上する。
【図面の簡単な説明】
【００２０】
【図１】本発明に係る壁用の洗浄装置における第一実施例の斜視図である。
【図２】本発明に係る壁用の洗浄装置における第一実施例の部分斜視図である。
【図３】本発明に係る壁用の洗浄装置における第一実施例の部分拡大分解斜視図である。
【図４】本発明に係る壁用の洗浄装置における第一実施例の磁気弁３０の分解斜視図である。
【図５】本発明に係る壁用の洗浄装置における第一実施例の軸方向レール１０の側視図である。
【図６】本発明に係る壁用の洗浄装置における第一施例の部分拡大側視図である。
【図７】本発明に係る壁用の洗浄装置における第一実施例の回転軸８０及び引き寄せ部材８０３を示すための部分拡大斜視図である。
【図８】本発明に係る壁用の洗浄装置における第二実施例の斜視図である。
【図９】本発明に係る壁用の洗浄装置における第二実施例の部分斜視図である。
【図１０】本発明に係る壁用の洗浄装置における第二実施例の部分拡大分解斜視図である。
【図１１】本発明に係る壁用の洗浄装置における第二実施例の部分拡大側視図である。
【図１２】本発明に係る壁用の洗浄装置における第二実施例の部分拡大斜視図である。
【発明を実施するための形態】
【００２１】
以下、添付図面を参照して本発明の適切な実施の形態を詳細に説明する。
【００２２】
図１、図２、図３に示すように、本発明に係る壁用の洗浄装置における第一実施例は、磁気弁３０と、軸方向レール１０と、摺動台２０と、ブラシ駆動部材６０と、ブラシ部材５０と、カバー７０とを有する。
【００２３】
図４に示すように、その磁気弁３０は、管状部３０１と、磁石３０２と、バネ３０３と、ワッシャー３０４と、磁吸着ワッシャー３０５とを備え、該管状部３０１は、一端が封止し、他端が開口し、内部における開口側の内径が封止側の内径より大きい大小２段階の内径を形成する内径部３０１１が設けられ、該内径部３０１１の内周面に複数の注水溝３０１２が管状部３０１の軸方向に沿って形成され、該管状部３０１の外周面における該注水溝３０１２の各々と対応する箇所に注水孔３０１３が形成される。
【００２４】
前記磁石３０２は、表面に防錆加工及び硬化加工を施し、外径が大小２段階に形成する柱体である。前記磁石３０２の大小２段階の外径が内径部３０１１の内径に合うと共に、小径部の外径がバネ３０３の内径に合う。前記バネ３０３が磁石３０２の小径部に環設されると共に、管状部３０１の内径部３０１１の大径部に位置するように、その磁石３０２及びバネ３０３が管状部３０１の内径部３０１１に挿設される。
前記ワッシャー３０４及び磁吸着ワッシャー３０５は、内径部３０１１の開口位置に内側から外部へ順番に位置するようにボルト３０６により取り付けられ、該ワッシャー３０４の中心に通水孔３０４１が形成され、該磁吸着ワッシャー３０５の中心に貫通孔３０５１が形成される。バネ３０３の付勢力により磁石３０２をワッシャー３０４に向かって当接するように押圧し、その磁石３０２とワッシャー３０４との弾性接触により通水孔３０４１を封止する。
【００２５】
図３及び図５に示すように、前記軸方向レール１０は、アルミ押出材からなる矩形体であり、その矩形体の軸方向、即ち、長手方向に沿って複数の貫通孔及び複数の貫通溝が形成されている。
その内、１つの貫通孔が注水通路１０１であり、三つの貫通溝が摺動溝１０２である。これらの摺動溝１０２はそれぞれ該軸方向レール１０の三つの外側面に形成されている。他の貫通溝は固定溝１０３、電気接続溝１０４、磁石収容溝１０５、弁収容溝１０６、ラック収容溝１０７である。また、該注水通路１０１は磁石収容溝１０５と隣接するように同一方向に向かって形成されている。
【００２６】
前記弁収容溝１０６の注水通路１０１と隣接する一側には複数の弁収容孔１０６１が間隔をおいて形成されている。所定の距離を隔てて形成した弁収容孔１０６１には磁気弁３０が設置されている。磁気弁３０は、ボルトが管状部３０１の固定孔３０１４を通過して螺合手段により、弁収容溝１０６の周囲の壁部に固定される。
前記磁石収容溝１０５には軸方向磁石１０５１が設置されている。前記電気接続溝１０４には軸方向電気接続レール１０４１が設置され、該軸方向電気接続レール１０４１の端部が電源と電気的に接続されている。前記ラック収容溝１０７には軸方向ラック１０７１が設置され、該軸方向ラック１０７１における底部がラック収容溝１０７のサイズに合って組み立てられ、上部に複数の歯が外側に向かって設けられる。
【００２７】
前記摺動台２０は、摺動フレーム２００及び摺動輪２０２からなる。該摺動フレーム２００は、一部の側部が軸方向レール１０のサイズ及び形状と対応するように設けられ、該側部が軸方向レール１０をカバーするように組み立てられる。該摺動フレーム２００の両端の軸方向レール１０の３つの摺動溝１０２と対応する箇所には、それぞれ装着孔２０３が形成され、該装着孔２０３の各々にはボルト２０４により摺動輪２０２が取り付けられている。
該摺動フレーム２００の内側における電気接続溝１０４と対応する箇所には電気接続ユニット２０５が設置されている。該摺動フレーム２００の両端縁部にはそれぞれ磁石収容溝１０５と対応するように凸縁２０６が延設され、それら凸縁２０６の間に磁石収容溝１０５内の軸方向磁石１０５１を位置し、該凸縁２０６の各々に連結孔２０６１が形成される。
【００２８】
また、前記摺動フレーム２００には駆動部材装着台２０７２が設けられ、該摺動フレーム２００の上側面における軸方向ラック１０７１と対応する箇所には歯車収容孔２０７３が形成されている。該駆動部材装着台２０７２には主駆動部材２０７が設置されている。該主駆動部材２０７に取り付けられた歯車２０７１が歯車収容孔２０７３に位置するように軸方向レール１０の軸方向ラック１０７１と噛合している。
これによって、前記摺動台２０は、摺動フレーム２００の複数の摺動輪２０２を介して軸方向レール１０に沿って摺動することが可能であり、電気接続ユニット２０５と軸方向電気接続レール１０４１との電気接続により電力を入力して主駆動部材２０７を駆動することが可能である。
【００２９】
前記ブラシ駆動部材６０は、摺動台２０のローラー装着台２０１に組み立てられている。該ローラー装着台２０１は、プレートと該プレートの上側及び下側にそれぞれ延設される半円形プレートからなり、それら半円形プレートとの間に所定の距離を有し、該半円形プレートの各々の中央に軸孔が形成される。さらに、前記ブラシ駆動部材６０が半円形プレートの軸孔を中心としてそれら半円形プレートとの間に設置される。
前記ブラシ駆動部材６０は、円筒状を呈し、両端にそれぞれ軸方向レール１０と直交する回転可能な回転軸６０１が設けられ、それら回転軸６０１が半円形プレートの軸孔を通過して外側へ突出する。また、それらローラー装着台２０１の外周縁との間に支持部２０１１が設けられ、該支持部２０１１にカバー７０を固定するための固定孔２０１２が形成される。前記ローラー装着台２０１は、摺動台２０の摺動フレーム２００の外側に装着される。
【００３０】
図３及び図６に示すように、前記ブラシ部材５０は、ローラー５０１を備える。該ローラー５０１の両端にはそれぞれ軸孔５０２及びキー溝が形成されている。該軸孔５０２の内径がブラシ駆動部材６０の回転軸６０１の外径に合っている。該ローラー５０１の外周面には毛材５０３が周設されている。該毛材５０３は軟質の毛材からなることが好ましい。
【００３１】
図３に示すように、前記カバー７０は、半円形の板体で、該半円形の板体の内径が毛材５０３の回転外径より大きい。該板体のローラー装着台２０１の支持部２０１１と対応する箇所にはローラー装着台２０１を固定するための固定孔７０１が形成される。
【００３２】
図１乃至図６を参照しながら、本発明の第一実施例に係る壁用の洗浄装置を建築物の外壁の壁板９０へ適用した場合の使用方法について説明する。
壁板９０には複数の軸方向レール１０が水平方向に沿って平行に配置されている。該壁板９０と軸方向レール１０との結合構造は、軸方向レール１０の固定溝１０３にサイズが合う凸字型ナット１０３１が取り付けられる。該軸方向レール１０と壁板９０との間には固定ユニット１０３３が設けられている。該固定ユニット１０３３は、長板体であり、長手方向に沿って３つの固定孔１０３４が形成されている。
そのため、中央の固定孔１０３４にボルト１０３５を挿通し、固定ユニット１０３３と凸字型ナット１０３１とを螺合すると共に、他の２つの固定孔１０３４にそれぞれボルト１０３２を挿通すると、軸方向レール１０を壁板９０に固定することができる。
【００３３】
また、揚水器または水道と連通する注水管を軸方向レール１０の注水通路１０１に連通すると、洗浄装置に洗浄用の水を提供することができる。この注水管と注水通路１０１との連通結構造は、既存の技術を有するので、それらの説明を省略する。
【００３４】
続いて、軸方向レール１０に少なくとも１つの摺動台２０が設置されてもよく、この第一実施例には、壁板９０に３本の軸方向レール１０が設置され、該軸方向レール１０の各々に摺動台２０が取り付けられ、該摺動台２０の各々にブラシ駆動部材６０が取り付けられ、隣り合う２つのブラシ駆動部材６０との間にブラシ部材５０が取り付けられ、それら摺動台２０及びブラシ部材５０は、軸方向レール１０と直交するように一直線に配置される。
また、壁板９０上の対応している軸方向レール１０及び摺動台２０の各セットまたは１セットに軸方向電気接続レール１０４１及び電気接続ユニット２０５が設置されることから、その軸方向電気接続レール１０４１及び電気接続ユニット２０５により、同期移動の各摺動台２０上におけるブラシ駆動部材６０及び主駆動部材２０７に電力を提供する。
【００３５】
隣り合う２つの摺動台２０上のブラシ駆動部材６０の回転軸６０１がそれぞれブラシ部材５０両端の軸孔５０２に挿設される。隣り合う２つの摺動台２０の間におけるブラシ部材５０の外側に、ボルト７０２がローラー装着台２０１の固定孔２０１２に螺合されることにより、カバー７０が設置される。
【００３６】
また、壁板９０における各軸方向レール１０の両端位置にそれぞれ、軸方向レール１０の長手方向と直交するように回転可能な回転軸８０が設置され、該回転軸８０の各々が複数のベアリング８０１を介して壁板９０に装着され、該回転軸８０の各々の軸方向レール１０の端部と対応する箇所にリング８０２が取り付けられる。
図７に示すように、該リング８０２の外周面に螺旋状溝８０２１が形成され、該リング８０２の螺旋状溝８０２１に引き寄せ部材８０３の一端が固定され、該引き寄せ部材８０３はロープや、チェーンなどであり、該引き寄せ部材８０３の他端が摺動台２０におけるリング８０２側の連結孔２０６１に固定される。また、前記回転軸８０にサブ駆動部材８０４が設置され、該サブ駆動部材８０４により回転軸８０を回転させることができる。それらの技術は、周知の技術であるので、詳細な説明を省略する。
【００３７】
上述したように、ブラシ部材５０が建築物の外壁の壁板９０に設置されると共に、該ブラシ部材５０が上下方向に沿って軸方向レール１０上の摺動台２０に取り付けられる。また、各摺動台２０が主駆動部材２０７により、各回転軸８０がサブ駆動部材８０４により、摺動台２０及びブラシ部材５０を同期して摺動させることが出来る。
【００３８】
図１乃至図６に示すように、本発明の第一実施例のように使用する時、先ず軸方向レール１０の注水通路１０１内に水を注入して、軸方向レール１０の主駆動部材２０７及び回転軸８０のサブ駆動部材８０４を駆動して摺動台２０及びブラシ部材５０を軸方向レール１０に沿って同期に摺動させる。
この時、摺動台２０上のブラシ駆動部材６０を駆動してブラシ部材５０を回転させる。そのブラシ駆動部材６０のブラシ部材５０を回転させる遠心力によって、ブラシ部材５０が壁板９０と接触するようになる。
【００３９】
また、摺動台２０を摺動する際には、摺動台２０の両側の凸縁２０６により磁石収容溝１０５上の軸方向磁石１０５１を押して摺動させる。摺動台２０を軸方向レール１０に沿って摺動しながら磁気弁３０を通過する場合には、軸方向磁石１０５１と磁気弁３０の磁石３０２との間に磁性吸引力を発生することから、磁石３０２とワッシャー３０４との間に隙間を生じる。このため、注水通路１０１内の水を注水孔３０１３から管状部３０１に入れて注水溝３０１２に沿って通水孔３０４１及び貫通孔３０５１を通過して排出することができ、これによって、建築の外壁の壁板９０の洗浄を行う。
一方、摺動台２０の摺動により軸方向磁石１０５１が磁気弁３０から離れると、磁気弁３０におけるバネ３０３の付勢力及び磁吸着ワッシャー３０５と磁石３０２との磁性吸引力により、磁石３０２がワッシャー３０４と密接して注水通路１０１内の水を止めて外部へ流出することはない。
【００４０】
前述磁石３０２とワッシャー３０４との密接することによって、水の流出防止効果は、単にバネ３０３の付勢力により磁石３０２をワッシャー３０４と密接させてもよく、単に磁石３０２とワッシャー３０４との間の磁性吸引力により磁石３０２をワッシャー３０４と密接させてもよく、第一実施例においては、磁石３０２、バネ３０３、磁吸着ワッシャー３０５との構成により、磁石３０２をワッシャー３０４と密接させてもよい。
なお、軸方向磁石１０５１と磁石３０２との磁性吸引力は、磁石３０２と磁吸着ワッシャー３０５との間の磁性吸引力より大きく、バネ３０３の付勢力より大きく、或いは磁石３０２と磁吸着ワッシャー３０５との間の磁性吸引力及びバネ３０３の付勢力の総合力と同じかそれより大きい。
【００４１】
ブラシ部材５０を回転して洗浄する時、カバー７０は、廃水を集めて底部から排水すると共に、装置の美観及び保護などの効果を備える。
【００４２】
図８乃至図１０に示すように、本考案に係る壁用の洗浄装置における第二実施例は、殆ど第一実施例と同一であり、壁板９０に複数の軸方向レール１０が平行に配置されると共に、該軸方向レール１０の各々に摺動可能な摺動台２０が設置される。
前述した第一実施例では、摺動台２０に回転可能なブラシ駆動部材６０が設置されると共に、該ブラシ駆動部材６０にブラシ部材５０が取り付けられる構造を有することから、そのブラシ部材５０の回動によって壁板９０の洗浄作業を行い、特に表面に段差を有する凹凸状の外壁に適用することが可能である。
【００４３】
第二実施例では、ブラシ駆動部材６０が、上下移動可能なブラシ駆動部材６０Ｂである。このブラシ駆動部材６０Ｂは、摺動台２０に取り付けられると共に、上下方向に沿って往復移動可能な部材である。
該ブラシ駆動部材６０Ｂは、移動軸６０１Ｂを備え、該移動軸６０１Ｂの中心に長手方向に沿って軸孔６０２Ｂが形成され、該軸孔６０２Ｂに細長柱２２Ｂが挿設され、該細長柱２２Ｂを介して隣り合う２つのブラシ駆動部材６０Ｂの間にブラシ部材５０Ｂを取り付けることができると共に、ブラシ駆動部材６０Ｂによりブラシ部材５０を上下方向に沿って往復移動させることができる。そのため、壁板９０の洗浄作業を行い、特に表面に平坦な外壁に適用すると共に、隣り合う２つの摺動台２０の間に長距離を有する場合にも応用できる。
【００４４】
本発明における第二実施例は、軸方向レール１０と、磁気弁３０と、摺動台２０と、ブラシ駆動部材６０Ｂと、ブラシ部材５０Ｂと、カバー７０Ｂとを有する。
図４に示すように、磁気弁３０は、第一実施例の磁気弁３０と同一である。また、図３、図５、図１０及び図１１に示すように、該軸方向レール１０及び摺動台２０は、第一実施例の軸方向レール１０及び摺動台２０と同一であることから、これらの説明を省略する。
【００４５】
図１０に示すように、前記ブラシ駆動部材６０Ｂは、気圧駆動または電力駆動としてもよく、管状体を備え、該管状体の中心に上下摺動可能な移動軸６０１Ｂが設置され、該移動軸６０１Ｂの中心に軸孔６０２Ｂが形成され、該ブラシ駆動部材６０Ｂの上端及び下端にそれぞれ径方向に向かって凸縁が延設され、それら凸縁の一方の端部に枢設孔６０３Ｂが形成され、それら凸縁の他方の端部の間に連結軸６０４Ｂが設けられる。
また、前記ブラシ駆動部材６０Ｂは、枢設台６１Ｂを備え、枢設台６１Ｂの底部がボルトにより摺動フレーム２００の側面に装着され、該枢設台６１Ｂに軸孔６１１Ｂが形成される。さらに、前記ブラシ駆動部材６０は、枢設孔６０３Ｂが枢設台６１Ｂの軸孔６１１Ｂと対応するように枢設軸６１２Ｂが挿設されることにより、枢設台６１Ｂに枢設される。
【００４６】
前記ブラシ駆動部材６０Ｂにおいて、移動軸６０１Ｂが軸方向レール１０と直交するように設置され、連結軸６０４Ｂの中間段に固定孔６０４１Ｂが形成され、該固定孔６０４１Ｂに伸縮部材６００Ｂの一端が結合され、該伸縮部材６００Ｂの他端がルーズリーフのように摺動フレーム２００の側面に枢設される。
前記ブラシ駆動部材６０にさらに、位置決め柱６０５Ｂを備え、該位置決め柱６０５Ｂに円盤状のベース６０６Ｂが設けられ、該ベース６０６Ｂに軸孔６０６１Ｂが形成され、或いは、該ベース６０６Ｂにおける軸孔６０６１Ｂと反対する側に位置決め柱６０５Ｂがブラシ部材５０の軸方向に沿って所定の長さで凸設されることが好ましく、そのベース６０６Ｂの軸孔６０６１Ｂがブラシ駆動部材６０Ｂの移動軸６０１Ｂと同一円心とするようにブラシ駆動部材６０Ｂに組み立てられる。
【００４７】
図１０に示すように、前記ブラシ部材５０Ｂは、長型支持台５０１Ｂ及びブラシ部材５０２Ｂからなる。該長型支持台５０１Ｂは、一側に長手方向に沿って軸孔５０４Ｂが形成され、該軸孔５０４Ｂの近傍の外周面には複数の固定孔５０７Ｂが形成され、該長型支持台５０１Ｂの側面には複数の装着孔５０５Ｂが形成されている。
該ブラシ部材５０２Ｂは、該長型支持台５０１Ｂのサイズ及び長さと同一に形成されていて、その内面には毛材５０３Ｂが設置され、側面には複数の装着孔５０５１Ｂが形成されている。その長型支持台５０１Ｂの装着孔５０５Ｂがブラシ部材５０２Ｂの装着孔５０５１Ｂと対応するようにセットしたボルト５０８Ｂにより長型支持台５０１Ｂ及びブラシ部材５０２Ｂを結合している。
また、前記長型支持台５０１Ｂの両端における軸孔５０４Ｂと反対する側にはそれぞれ長手方向に沿って位置決め孔５０９Ｂが形成されている。該位置決め孔５０９Ｂはブラシ駆動部材６０Ｂの位置決め柱６０５Ｂと対応するように形成される。
【００４８】
図１０に示すように、前記カバー７０Ｂは、Ｕ字形の長型板体であり、ブラシ部材５０Ｂをカバーする保護効果を提供すると共に、板体の外側の内周面とブラシ部材５０Ｂとの間に間隔板７０３Ｂが設けられている。該間隔板７０３Ｂには複数の送風孔７０４Ｂが形成されている。その構造によれば、長手方向に沿った送風管７０５Ｂを構成している。
【００４９】
図５、図８、図９、図１０及び図１１を参照して、本発明の第二実施例における建築物の外壁の壁板９０への使用方法について説明する。
壁板９０に水平方向に沿って複数の軸方向レール１０が平行に配置され、該壁板９０と軸方向レール１０との結合構造は、軸方向レール１０に固定溝１０３が形成され、該固定溝１０３に凸字型ナット１０３１とボルト１０３２との螺合手段ことにより、軸方向レール１０を壁板９０に固定する。また、揚水器または水道水と連通するパイプが軸方向レール１０の注水通路１０１と連通する。
【００５０】
軸方向レール１０に少なくとも１つの摺動台２０が設置されてもよく、図面においては、壁板９０に３本の軸方向レール１０が平行に配置され、各軸方向レール１０に摺動台２０が取り付けられ、各摺動台２０にブラシ駆動部材６０Ｂが設置され、隣り合う２つのブラシ駆動部材６０Ｂの間にブラシ部材５０Ｂが設置される。
前記ブラシ部材５０Ｂを隣り合う２つのブラシ駆動部材６０Ｂの間に設置する方法は、ブラシ部材５０Ｂの軸孔５０４Ｂとブラシ駆動部材６０Ｂの軸孔６０２Ｂとが同一円心となるように、細長柱２２Ｂをブラシ駆動部材６０Ｂの軸孔６０２Ｂ及びブラシ部材５０Ｂの軸孔５０４Ｂに挿設し、ボルト５０６Ｂを固定孔５０７Ｂに螺合することにより、ブラシ部材５０Ｂと細長柱２２Ｂとを固定する。なお、前記細長柱２２Ｂは、ロープや、丸鋼棒、平鋼棒、管状体などであってもよい。
【００５１】
また、ブラシ駆動部材６０Ｂの移動軸６０１Ｂの外周面に固定孔６０１１Ｂを形成し、ボルト６０１２Ｂを該固定孔６０１１Ｂに螺合することによりブラシ駆動部材６０Ｂと細長柱２２Ｂとを固定する。さらに、ブラシ部材５０Ｂの位置決め孔５０９Ｂとブラシ駆動部材６０Ｂの位置決め柱６０５Ｂとを同一円心とするように組み立て、ブラシ部材５０Ｂのブラシを壁板９０に向かって取り付ける。
【００５２】
上述したように、前記ブラシ部材５０Ｂが軸方向レール１０と直交するように一直線に配列され、ブラシ部材５０Ｂの外側にカバー７０Ｂが設置され、該カバー７０Ｂの開口がブラシ部材５０Ｂに向かって摺動台２０に組み立てられ、該カバー７０Ｂの送風管７０５Ｂが送風機７０６Ｂと連通される。
前記送風機７０６Ｂは送風管７０５Ｂの両端に設置されると共に、送風機７０６Ｂの送風口を介して送風管７０５Ｂと連通することが好ましい。送風機７０６Ｂの設置方法は、既存の技術であることから、詳細な説明を省略する。
【００５３】
また、建築物の外壁の壁板９０における各軸方向レール１０の端部と対応する箇所にそれぞれ回転軸８０が設置され、該回転軸８０にサブ駆動部材８０４が設置され、該サブ駆動部材８０４により回転軸８０を回転させることができ、その構造によれば、摺動台２０を摺動させることができる。
図２及び図７に示すように、サブ駆動部材８０４及び回転軸８０と摺動台２０との構造は第一実施例と同一であることから、詳細な説明を省略する。
【００５４】
上述したように、前記ブラシ部材５０Ｂは、壁板９０に一直線に配列されると共に、それぞれ軸方向レール１０の摺動台２０に取り付けられる、そのため、上下移動可能なブラシ駆動部材６０Ｂにより壁板９０を洗浄することができ、主駆動部材２０７及び回転軸８０を回動するためのサブ駆動部材８０４により摺動台２０及びブラシ部材５０を軸方向レール１０に沿って同期に摺動させることができる。
【００５５】
図８乃至図１１に示すように、本発明における第二実施例を使用する場合、揚水器または水道と連通するパイプが軸方向レール１０の注水通路１０１と連通すると共に、主駆動部材２０７及び回転軸８０のサブ駆動部材８０４を駆動して摺動台２０を軸方向レール１０に沿って摺動させる。この時、伸縮部材６００Ｂを駆動して軸を短縮することにより、ブラシ部材５０Ｂの毛材５０３Ｂを壁板９０に接触させると共に、摺動台２０上のブラシ駆動部材６０Ｂを駆動してブラシ部材５０Ｂを上下往復移動させる。
【００５６】
また、摺動台２０が両側の凸縁２０６により磁石収容溝１０５上の軸方向磁石１０５１を同期に摺動させ、そのため、軸方向磁石１０５１と磁気弁３０との間の磁性吸引力があることから、摺動台２０が磁気弁３０を通過する時に、洗浄用の水を噴出して壁板９０を洗浄することができる。
軸方向磁石１０５１が磁気弁３０から離れる時には、磁気弁３０のバネ３０３の付勢力及び磁吸着ワッシャー３０５と磁石３０２との間の磁性吸引力により、磁石３０２がワッシャー３０４を押圧して注水通路１０１内の水を止める。
一方、ブラシ部材５０を回転して壁板９０を洗浄する時に、カバー７０Ｂによりその廃水を集め、その後、送風機７０６Ｂを駆動して送風管７０５Ｂ及び間隔板７０３Ｂの送風孔７０４Ｂを介して強風を送出して壁板９０上の水を除去する。
【００５７】
上述した構造を有するので、カバー７０Ｂにより部材の保護、壁板９０上の水の除去、全体的な美観などの効果を提供すると共に、軸方向レール１０が抗酸化性の材質からなって平行に壁板９０に配列され、不使用の時、ブラシ部材５０Ｂが建築物の一側に位置してもよい。
例えば、図１２に示すように、伸縮部材６００Ｂの軸をブラシ駆動部材６０の外側へ伸ばして、ブラシ部材５０Ｂの毛材５０３Ｂを壁板９０から離せば、毛材５０３Ｂが変形しないと共に、カバー７０Ｂからの保護及び美観的な効果を有する。
【符号の説明】
【００５８】
１０      軸方向レール
１０１    注水通路
１０２    摺動溝
１０３    固定溝
１０３１  凸字型ナット
１０４１  軸方向電気接続レール
１０５    磁石収容溝
１０５１  軸方向磁石
１０７１  軸方向ラック
２０      摺動台
２０１    ローラー装着台
２０２    摺動輪
２０５    電気接続ユニット
２０７    主駆動部材
２０７１  歯車
３０      磁気弁
３０１    管状部
３０１１  内径部
３０１２  注水溝
３０１３  注水孔
３０２    磁石
３０３    バネ
３０４    ワッシャー
３０４１  通水孔
３０５    磁吸着ワッシャー
３０５１  貫通孔
５０      ブラシ部材
５０３    毛材
６０      ブラシ駆動部材
６０１    回転軸
７０      カバー
８０      回転軸
８０２    リング
８０３    引き寄せ部材
８０４    サブ駆動部材
９０      壁板
２２Ｂ    細長柱
５０Ｂ    ブラシ部材
５０４Ｂ  軸孔
６０Ｂ    ブラシ駆動部材
６０２Ｂ  軸孔
６００Ｂ  伸縮部材
６０１Ｂ  移動軸
７０Ｂ    カバー
７０３Ｂ  間隔板
７０４Ｂ  送風孔
７０５Ｂ  送風管
【図１】
2013523354.tif 000003
【図２】
2013523354.tif 000004
【図３】
2013523354.tif 000005
【図４】
2013523354.tif 000006
【図５】
2013523354.tif 000007
【図６】
2013523354.tif 000008
【図７】
2013523354.tif 000009
【図８】
2013523354.tif 000010
【図９】
2013523354.tif 000011
【図１０】
2013523354.tif 000012
【図１１】
2013523354.tif 000013
【図１２】
2013523354.tif 000014
【国際調査報告】
2013523354.tif 000015
2013523354.tif 000016
2013523354.tif 000017
2013523354.tif 000018
2013523354.tif 000019
2013523354.tif 000020